(57)【要約】【課題】極めて簡単な構成でもって複数の流体分配口における水量を均等にして吐出することが可能であり、しかも安価に提供することができる流体マニホールドを提供すること。【解決手段】一端側に流体の流入口１２が設けられ他端側が閉塞された略中空管状に形成されたマニホールド本体１の長手方向に沿って複数個の流体分配口１３ａ，１３ｂ，…を形成し、これら複数個の流体分配口のうち流入口近傍に配置された入口側分配口１３ａと閉塞側近傍に配置された閉塞側分配口１３ｆとを互いに循環用パイプ２を介して連通せしめ、残りの各流体分配口に、流体分配先に接続される分岐パイプ３ａ，３ｂ，３ｃ，…を接続するようにした。【選択図】    図１
2004337952.tif 000002
【特許請求の範囲】
【請求項１】
一端側に流体の流入口が設けられ他端側が閉塞された略中空管状に形成されたマニホールド本体の長手方向に沿って複数個の流体分配口を形成し、これら複数個の流体分配口のうち前記流入口近傍に配置された入口側分配口と前記閉塞側近傍に配置された閉塞側分配口とを互いに循環用パイプを介して連通せしめ、残りの各流体分配口に、流体分配先に接続される分岐パイプを接続するようにしたことを特徴とする流体マニホールド。
【請求項２】
一端側に流体の流入口が設けられ他端側が開口された略中空管状に形成されたマニホールド本体の長手方向に沿って複数個の流体分配口を形成し、上記流入口と他端開口とを互いに循環用パイプを介して連通せしめ、各流体分配口に、流体分配先に接続される分岐パイプを接続するようにしたことを特徴とする流体マニホールド。
【請求項３】
中空管の両端を互いに連通接続させて円形状に形成されたマニホールド本体に流体の流入接続管を連通接続すると共に、該マニホールド本体の長手方向に沿って複数個の流体分配口を形成せしめ、各流体分配口に、流体分配先に接続される分岐パイプを接続するようにしたことを特徴とする流体マニホールド。
【発明の詳細な説明】
【０００１】
【発明の属する技術分野】
本発明は、ダイカスト鋳造やプラスチック成形において、金型に穿設した多数の金型冷却穴内個々に冷却水を供給したり（これを通常、冷却水マニホールドと称する。）、或いは、金型のキャビティ面に離型剤を塗布したりエアーブローを行なうための多数のノズルに離型剤やエアーを供給する（これを通常、離型剤マニホールドと称する。）のに用いられる流体マニホールドに関するものである。
なお、金型の温度をコントロールする場合に、冷却水に限らず、温水等を供給することもある。
【０００２】
【従来の技術】
従来から、例えば金型の冷却穴に冷却水を供給するための冷却水マニホールドでは、複数個形成された各流体分配口においてそれぞれ圧力バランスが崩れ、それがために冷却穴への冷却水流量バランスも崩れて適切な金型冷却（温度制御）を行なうのが難しいといった問題があった。
この様な問題を解決するべく、マニホールド本体の内部に複数の出口の水量を等しくする整流板を設けたり、入口の水圧に応じて可変する板体を設けることにより複数の出口の水量を均等にするように工夫したり（特許文献１を参照。）、マニホールド本体における冷却水路の途中に冷却水の正面衝突部を設けると共に該衝突部に同一長さで同一幅の分岐水路を接続して、冷却水が持つ慣性力を分散し更に分岐させることにより、各分配口における圧力バランスを保つようにしたもの（特許文献２を参照。）、などが提案された。
しかしながら、これら提案された従来の冷却水マニホールドでは、複数の分配口における水量を等しくするための構成が比較的複雑となり且つ多くの構成部材を必要とするのでコスト高になってしまう。
【０００３】
【先行技術文献の開示】
【特許文献１】
実開平６−７０９５２号公報
【特許文献２】
特開平１０−５８４５２号公報
【０００４】
【発明が解決しようとする課題】
本発明はこのような従来の不具合に鑑みてなされたものであり、極めて簡単な構成でもって複数の流体分配口における水量をほぼ均等にして吐出することが可能であり、しかも安価に提供することができる流体マニホールドを提供せんとするものである。
【０００５】
【課題を解決するための手段】
斯かる目的を達成する本発明の請求項１に記載の流体マニホールドは、一端側に流体の流入口が設けられ他端側が閉塞された略中空管状に形成されたマニホールド本体の長手方向に沿って複数個の流体分配口を形成し、これら複数個の流体分配口のうち前記流入口近傍に配置された入口側分配口と前記閉塞側近傍に配置された閉塞側分配口とを互いに循環用パイプを介して連通せしめ、残りの各流体分配口に、流体分配先に接続される分岐パイプを接続するようにしたことを特徴としたものである。
また、本発明の請求項２に記載の流体マニホールドは、一端側に流体の流入口が設けられ他端側が開口された略中空管状に形成されたマニホールド本体の長手方向に沿って複数個の流体分配口を形成し、上記流入口と他端開口とを互いに循環用パイプを介して連通せしめ、各流体分配口に、流体分配先に接続される分岐パイプを接続するようにしたことを特徴としたものである。
更に、本発明の請求項３に記載の流体マニホールドは、循環用パイプを使用せずに、中空管の両端を互いに連通接続させて円形状に形成されたマニホールド本体に流体の流入接続管を連通接続すると共に、該マニホールド本体の長手方向に沿って複数個の流体分配口を形成せしめ、各流体分配口に、流体分配先に接続される分岐パイプを接続するようにしたことを特徴としたものである。
【０００６】
【作用】
第１発明（請求項１）の流体マニホールドによれば、流入口からマニホールド本体の内部（流通路内）に供給された流体は、流通路→閉塞側分配口→循環用パイプ→入口側分配口→流通路、と循環する流体の流れによって、残りの各流体分配口における吐出圧力が均一化されるので、複数個の流体分配口がマニホールド本体の長手方向に沿って配設されていても各流体分配口から分岐パイプを通して流体分配先に吐出される流体の量はほぼ均等となる。
また、第２発明（請求項２）の流体マニホールドによれば、流入口からマニホールド本体の内部（流通路内）に供給された流体は、流通路→他端開口→循環用パイプ→流入口→流通路、と循環する流体の流れによって、各流体分配口における吐出圧力が均一化されるので、複数個の流体分配口がマニホールド本体の長手方向に沿って配設されていても各流体分配口から分岐パイプを通して流体分配先に吐出される流体の量はほぼ均等となる。
また、第３発明（請求項３）の流体マニホールドによれば、流入口からマニホールド本体の内部（流通路内）に供給された流体は、流通路を循環する流体の流れによって、各流体分配口における吐出圧力が均一化されるので、各流体分配口から分岐パイプを通して流体分配先に吐出される流体の量はほぼ均等となる。
【０００７】
【発明の実施の形態】
以下、本発明の具体的な好適実施例を図面を参照しながら詳細に説明するが、本発明は図示実施例のものに限定されるものではなく、いろいろなバリエーションが考えられる。
なお、全図面を通して同様の構成部材には同じ符号を付して重複する説明は省略する。
【０００８】
図１は第１発明に係る実施の一例を説明するための模式図であり、図中の符号１はマニホールド本体を、符号２はパイプを、符号３ａ，３ｂ，３ｃ，…は分岐パイプを、それぞれ示す。
マニホールド本体１は、内部が中空で適当な長さ（例えば、３０〜５０ｃｍ位）の金属製または合成樹脂製の筒材を用いてその内部を一方向に長い流通路１１となし、その一端側を流入口１２とし、他端側は封止栓４等で閉塞し、流通路１１の長手方向に沿って複数個の流体分配口１３ａ，１３ｂ，１３ｃ，…をそれぞれ流通路１１と連通するように形成してなる。
そして、上記流入口１２には流通路１１内に流体を導入するための流入接続管５を分離可能に連通接続せしめ、複数個の各流体分配口１３ａ，１３ｂ，１３ｃ，…には循環用パイプ２ないしは分岐パイプ３ａ，３ｂ，３ｃ，…を連通接続させる。
【０００９】
すなわち、複数個ある流体分配口１３ａ，１３ｂ，１３ｃ，…のうち、流入口１２の近傍に配置された入口側分配口１３ａと閉塞側の近傍に配置された閉塞側分配口１ｆは互いに循環用パイプ３で連通接続せしめ、残りの流体分配口１３ｂ，１３ｃ，１３ｄ，１３ｅにはそれぞれ流体分配先に接続される分岐パイプ３ａ，３ｂ，３ｃ，…を連通接続させるものである。
【００１０】
また、図２は、第１発明に係る流体マニホールドの他の実施例を示すものである。この実施例では、流体の流入口１２をマニホールド本体１の端部ではなく、長手方向の中央部に設けたものある。すなわち、直管状に形成されたマニホールド本体１の両端を封止栓４ａ、４ｂで閉塞し、長手方向に沿って複数個の流体分配口１３ａ，１３ｂ，１３ｃ，…を穿設すると共に、長手方向の中央部に流体の流入口１２を設け、流入口１２の近傍に配置された入口側分配口１３ａ（または１３ｍ）と閉塞側の近傍に配置された閉塞側分配口１ｆ（または１３ｈ）を循環用パイプ２（２ａ、２ｂ）で連通接続せしめ、流入口１２の左右に配置された残りの流体分配口１３ｂ〜１３ｅおよび１３ｈ〜１３ｋにそれぞれ分岐パイプ３ａ〜３ｄ，３ｅ〜３ｈを連通接続させたものである。この時、流入口１２から左右の閉塞部（封止栓４ａ、４ｂ）までの距離（長さ）を同じに形成することが好ましい。
更に、本実施例の変形例として、マニホールド本体１を、流入口１２から他端閉塞部までの距離（長さ）を同じに形成した３分岐タイプ（略Ｙの字形）、或いは４分岐タイプ（略Ｘ字形）などに形成することが考えられる。マニホールド本体１をこの様に形成すれば、比較的小型のマニホールド本体１でも多数個の１３ａ，１３ｂ，１３ｃ，…を形成することが可能となる。
【００１１】
而して、この第１発明に係る流体マニホールドの場合、流入口１２からマニホールド本体１の内部（流通路１１内）に流入した流体Ｌは、流通路１１内を通って各流体分配口１３ａ，１３ｂ，１３ｃ，…からそれぞれ分岐パイプ３ａ，３ｂ，３ｃ，…を通して金型冷却穴等の流体分配先に供給されるが、この時、流通路１１の閉塞部側では流入した流体が衝突して流入口１２近傍における流体圧力より高くなるため、流入口１２の近傍に配置された入口側分配口１３ａ（または１３ｍ）と閉塞側の近傍に配置された閉塞側分配口１３ｆ（または１３ｈ）を互いに循環用パイプ２で連通接続していないと各流体分配口１３ａ，１３ｂ，１３ｃ，…から吐出される流体の流量が均一とはならず、閉塞側分配口１３ｆ（または１３ｈ）からの吐出流量が多く、入口側分配口１３ａからの吐出流量が少なくなってしまう。しかし、図示実施例のごとく、流入口１２の近傍に配置された入口側分配口１３ａ（または１３ｍ）と他端閉塞側の近傍に配置された閉塞側分配口１３ｆ（または１３ｈ）を互いに循環用パイプ２で連通接続させることにより、流通路１１における閉塞部側と流入口１２側とで流体圧力差がほとんどなくなり、従って残りの流体分配口１３ｂ〜１３ｅ（１３ｈ〜１３ｍ）から吐出される流体の流量がほぼ均一となり、その結果、流体分配先には分岐パイプ３ａ，３ｂ，３ｃ，…を通してほぼ均等量の流体が供給されるようになる。
【００１２】
次に、図３に示した第２発明に係る流体マニホールドについて説明する。
この第２発明に係る流体マニホールドは、上述した第１発明とほぼ同じ構成であるが、マニホールド本体１の他端側を閉塞することなく他端を開口し、流入口１２と他端開口１４とを互いに循環用パイプ２を介して連通せしめ、各流体分配口１３ａ，１３ｂ，１３ｃ，…に、それぞれ流体分配先に接続される分岐パイプ３ａ，３ｂ，３ｃ，…を接続するように構成したものである。
この第２発明に係る流体マニホールドでは、流通路１１内から循環用パイプ２を流通する流体の衝突をなるべく避けるために、循環用パイプ２を緩円弧状に配設することが好ましい。
【００１３】
而して、この第２発明に係る流体マニホールドの場合、流入口１２からマニホールド本体１の内部（流通路１１内）に流入した流体Ｌは、他端側が閉塞されていないため流体Ｌの衝突が発生せず、よって流入口１２近傍との圧力差が発生し難く、他端開口１４から循環用パイプ２を通して再び流入口１２側に循環するので、第１発明の場合と同様に、流通路１１における他端開口１４側と流入口１２側とで流体圧力差がほとんどなくなり、従って各流体分配口１３ａ，１３ｂ，１３ｃ，…から吐出される流体の流量がほぼ均一となり、その結果、流体分配先には分岐パイプ３ａ，３ｂ，３ｃ，…を通してほぼ均等量の流体が供給されるようになる。
【００１４】
次に、図４に示した第３発明に係る流体マニホールドについて説明する。
この第３発明に係る流体マニホールドは、上述した第１、第２発明と異なり、循環用パイプ２を使用せずに、流入口１２側と他端開口１４側とを連通接続させて構成したものである。すなわち、両端が開口された中空管を用いて、その両端を互いに連通接続させてマニホールド本体１を円形状に形成し、そのマニホールド本体１に流体の流入接続管５を連通接続させると共に、該マニホールド本体１の長手方向に沿って複数個の流体分配口１３ａ，１３ｂ，１３ｃ，…を形成せしめ、各流体分配口１３ａ，１３ｂ，１３ｃ，…に、流体分配先に接続される分岐パイプ３ａ，３ｂ，３ｃ，…を接続するように構成したものである。
【００１５】
而して、この第３発明に係る流体マニホールドの場合、流入接続管５からマニホールド本体１の内部（流通路１１内）に流入した流体Ｌは、流通路１１を循環する流体の流れによって、各流体分配口１３ａ，１３ｂ，１３ｃ，…における吐出圧力が均一化されるので、各流体分配口１３ａ，１３ｂ，１３ｃ，…から分岐パイプ３ａ，３ｂ，３ｃ，…を通して流体分配先に吐出される流体の量はほぼ均等となる。
【００１６】
【発明の効果】
本発明に係る流体マニホールドは斯様に構成したので、流入口に近いとか遠いとかに関係なく、複数個形成された各流体分配口から吐出される流体の流量がほぼ均一となり、その結果、それぞれ分岐パイプを通して流体分配先にほぼ均等量の流体を供給することが可能となる。
【００１７】
しかも、上記の作用効果を奏するために、複数個の流体分配口のうち流入口近傍に配置された入口側分配口と閉塞側近傍に配置された閉塞側分配口とを互いに循環用パイプを介して連通せしめる（第１発明）か、または流入口と他端開口とを互いに循環用パイプを介して連通せしめる（第２発明）か、或いは円形状に形成されたマニホールド本体に流体の流入接続管を連通接続する（第３発明）だけなので、その構造・構成がすこぶる簡単となり、安価に提供することができる。
【図面の簡単な説明】
【図１】本発明の第１発明に係る実施の一例を示す模式断面図。
【図２】本発明の第１発明に係る他の実施例を示す模式断面図。
【図３】本発明の第２発明に係る実施の一例を示す模式断面図。
【図４】本発明の第３発明に係る実施の一例を示す模式断面図。
【符号の説明】
１：マニホールド本体
２（２ａ，２ｂ）：循環用パイプ
３ａ，３ｂ，３ｃ，…：分岐パイプ
４（４ａ，４ｂ）：封止栓
５：流入接続管
１１：流通路
１２：流入口
１３ａ，１３ｂ，１３ｃ，…：流体分配口
１４：他端開口
Ｌ：流体
【図１】
2004337952.tif 000003
【図２】
2004337952.tif 000004
【図３】
2004337952.tif 000005
【図４】
2004337952.tif 000006